【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
カウンタの第1の部分を含むタイムスタンプを生成することと、
第1のフィールドと前記第1のフィールドとは異なる第2のフィールドとを含むフレームを生成することであって、前記第1のフィールドが、前記タイムスタンプを含む、前記第2のフィールドが、前記カウンタの前記第1の部分に関連する1つまたは複数のビットを含み、前記第2のフィールドが、前記フレーム内に担持されたショートビーコン適合性要素を含み、前記ショートビーコン適合性要素が、タイミング同期機能(TSF)完了フィールドを含む、生成することと
を行うように構成された処理システムと、
送信するための前記フレームを受信側デバイスに出力するように構成されたインターフェースと
を含む、装置。
【請求項２】
前記フレームが、ショートビーコンフレーム、S1Gビーコンフレーム、ビーコンフレーム、またはショートプローブ応答フレームを含む、請求項1に記載の装置。
【請求項３】
前記カウンタが、TSFカウンタを含む、請求項1に記載の装置。
【請求項４】
前記カウンタの前記第1の部分が、前記カウンタの最下位部分を含み、
前記1つまたは複数のビットが、
前記カウンタの前記最下位部分に関連する1つまたは複数の最上位ビット
を含む、
請求項1に記載の装置。
【請求項５】
前記フレーム内に担持された前記ショートビーコン適合性要素が、前記カウンタの最上位部分を担持する、請求項1に記載の装置。
【請求項６】
前記TSF完了フィールドが、前記カウンタの最上位部分を担持する、
請求項1に記載の装置。
【請求項７】
前記第2のフィールドが、前記ショートビーコン適合性要素に含まれるTSFロールオーバフラグを含む、
請求項1に記載の装置。
【請求項８】
ワイヤレス通信のための装置であって、
ワイヤレスノードからフレームを取得するように構成されたインターフェースと、
前記フレームから、第1のフィールドと、第2のフィールドとを取得することであって、前記第1のフィールドが、カウンタの第1の部分の第1の値を有するタイムスタンプを含み、前記第2のフィールドが、前記カウンタの前記第1の部分の第2の値を有する1つまたは複数のビットを含む、取得することと、
前記カウンタの前記第1の部分の前記第1の値を前記カウンタの前記第1の部分の前記第2の値と比較することと、
前記比較に基づいて、前記タイムスタンプが取得されたとき以降に前記カウンタの前記第1の部分の前記第1の値が変化したかどうかを決定することと、
前記装置と前記ワイヤレスノードとの間のタイミングを同期することと
を行うように構成された処理システムと
を含む、装置。
【請求項９】
前記カウンタの前記第1の部分が、タイミング同期機能(TSF)カウンタの最下位部分を含み、
前記1つまたは複数のビットが、前記TSFカウンタの前記最下位部分に関連する1つまたは複数の最上位ビットを含む、
請求項8に記載の装置。
【請求項１０】
前記処理システムが、処理遅延を表すように前記第1の値を調整するように構成される、請求項8に記載の装置。
【請求項１１】
前記第2のフィールドが、タイミング同期機能(TSF)ロールオーバフラグを含み、前記TSFロールオーバフラグが、前記1つまたは複数のビットを含む、請求項8に記載の装置。
【請求項１２】
前記処理システムは、前記第1の値が前記第2の値と異なる場合、前記タイムスタンプが取得されたとき以降に前記カウンタの前記第1の部分の前記第1の値が変化したと決定するようにさらに構成される、請求項8に記載の装置。
【請求項１３】
前記第2のフィールドが、前記カウンタの最上位部分の第3の値をさらに有し、
前記処理システムが、
前記第3の値を増加させることと、
前記増加させた第3の値に等しい前記カウンタのローカルバージョンの最上位部分の1つまたは複数のビットの値を設定することと
によって、前記装置と前記ワイヤレスノードとの間の前記タイミングを同期することを行うように構成される、請求項12に記載の装置。
【請求項１４】
前記処理システムは、前記第2の値が前記第1の値と同じである場合、前記タイムスタンプが取得されたとき以降に前記カウンタの前記第1の部分の前記第1の値が変化しなかったと決定するように構成される、請求項8に記載の装置。
【請求項１５】
前記第2のフィールドが、前記カウンタの最上位部分の第3の値をさらに有し、
前記処理システムは、前記第2の値が前記第1の値と同じである場合、前記第3の値に等しい前記カウンタのローカルバージョンの最上位部分の1つまたは複数のビットの値を設定することによって前記装置と前記ワイヤレスノードとの間の前記タイミングを同期するようにさらに構成される、請求項14に記載の装置。
【請求項１６】
前記処理システムは、前記タイムスタンプが取得されたとき以降に前記カウンタの前記第1の部分の前記第1の値が変化しなかったと決定する場合、前記カウンタの最上位部分の第3の値に基づいて前記カウンタのローカルバージョンをアップデートすることによって前記装置と前記ワイヤレスノードとの間の前記タイミングを同期させるように構成される、請求項8に記載の装置。
【請求項１７】
前記処理システムは、前記タイムスタンプが取得されたとき以降に前記カウンタの前記第1の部分の前記第1の値が変化したと決定する場合、前記カウンタの最上位部分の第3の値に基づいて前記カウンタのローカルバージョンをアップデートすることによって前記装置と前記ワイヤレスノードとの間の前記タイミングを同期させるように構成され、前記第3の値は、前記カウンタの前記ローカルバージョンがアップデートされる前に、前記処理システムによって増加させられる、請求項8に記載の装置。
【請求項１８】
ワイヤレス通信のための方法であって、
カウンタの第1の部分を含むタイムスタンプを生成するステップと、
第1のフィールドと前記第1のフィールドとは異なる第2のフィールドとを含むフレームを生成するステップであって、前記第1のフィールドが、前記タイムスタンプを含む、前記第2のフィールドが、前記カウンタの前記第1の部分に関連する1つまたは複数のビットを含み、前記第2のフィールドが、前記フレーム内に担持されたショートビーコン適合性要素を含み、前記ショートビーコン適合性要素が、タイミング同期機能(TSF)完了フィールドを含む、ステップと、
送信するための前記フレームを受信側デバイスに出力するステップと
を含む、方法。
【請求項１９】
前記フレームが、ショートビーコンフレーム、S1Gビーコンフレーム、ビーコンフレーム、またはショートプローブ応答フレームを含む、請求項18に記載の方法。
【請求項２０】
前記カウンタが、TSFカウンタを含む、請求項18に記載の方法。
【請求項２１】
前記カウンタの前記第1の部分が、前記カウンタの最下位部分を含み、
前記1つまたは複数のビットが、
前記カウンタの前記最下位部分に関連する1つまたは複数の最上位ビット
を含む、
請求項18に記載の方法。
【請求項２２】
前記フレーム内に担持された前記ショートビーコン適合性要素が、前記カウンタの最上位部分を担持する、請求項18に記載の方法。
【請求項２３】
前記TSF完了フィールドが、前記カウンタの最上位部分を担持する、
請求項18に記載の方法。
【請求項２４】
前記第2のフィールドが、前記ショートビーコン適合性要素に含まれるTSFロールオーバフラグを含む、
請求項18に記載の方法。
【請求項２５】
装置によるワイヤレス通信のための方法であって、
ワイヤレスノードからフレームを取得するステップと、
前記フレームから、第1のフィールドと、第2のフィールドとを取得するステップであって、前記第1のフィールドが、カウンタの第1の部分の第1の値を有するタイムスタンプを含み、前記第2のフィールドが、前記カウンタの前記第1の部分の第2の値を有する1つまたは複数のビットを含む、ステップと、
前記カウンタの前記第1の部分の前記第1の値を前記カウンタの前記第1の部分の前記第2の値と比較するステップと、
前記比較に基づいて、前記タイムスタンプが取得されたとき以降に前記カウンタの前記第1の部分の前記第1の値が変化したかどうかを決定するステップと、
前記装置と前記ワイヤレスノードとの間のタイミングを同期するステップと
を含む、方法。
【請求項２６】
前記カウンタの前記第1の部分が、タイミング同期機能(TSF)カウンタの最下位部分を含み、
前記1つまたは複数のビットが、前記TSFカウンタの前記最下位部分に関連する1つまたは複数の最上位ビットを含む、
請求項25に記載の方法。
【請求項２７】
処理遅延を表すように前記第1の値を調整するステップをさらに含む、請求項25に記載の方法。
【請求項２８】
前記第2のフィールドが、タイミング同期機能(TSF)ロールオーバフラグを含み、前記TSFロールオーバフラグが、前記1つまたは複数のビットを含む、請求項25に記載の方法。
【請求項２９】
前記第1の値が前記第2の値と異なる場合、前記決定は、前記タイムスタンプが取得されたとき以降に前記カウンタの前記第1の部分の前記第1の値が変化したということである、請求項25に記載の方法。
【請求項３０】
前記第2のフィールドが、前記カウンタの最上位部分の第3の値をさらに有し、
前記装置と前記ワイヤレスノードとの間の前記タイミングを同期するステップが、
前記第3の値を増加させるステップと、
前記増加させた第3の値に等しい前記カウンタのローカルバージョンの最上位部分の1つまたは複数のビットの値を設定するステップと
を含む、請求項29に記載の方法。
【請求項３１】
前記第2の値が前記第1の値と同じである場合、前記決定は、前記タイムスタンプが取得されたとき以降に前記カウンタの前記第1の部分の前記第1の値が変化しなかったということである、請求項25に記載の方法。
【請求項３２】
前記第2のフィールドが、前記カウンタの最上位部分の第3の値をさらに有し、
前記装置と前記ワイヤレスノードとの間の前記タイミングを同期するステップが、前記第3の値に等しい前記カウンタのローカルバージョンの最上位部分の1つまたは複数のビットの値を設定するステップを含む、請求項31に記載の方法。
【請求項３３】
前記装置と前記ワイヤレスノードとの間の前記タイミングを同期するステップは、前記決定が、前記タイムスタンプが取得されたとき以降に前記カウンタの前記第1の部分の前記第1の値が変化しなかったということである場合、前記カウンタの最上位部分の第3の値に基づいて前記カウンタのローカルバージョンをアップデートするステップを含む、請求項25に記載の方法。
【請求項３４】
前記装置と前記ワイヤレスノードとの間の前記タイミングを同期するステップは、前記決定が、前記タイムスタンプが取得されたとき以降に前記カウンタの前記第1の部分の前記第1の値が変化したということである場合、前記カウンタの最上位部分の第3の値に基づいて前記カウンタのローカルバージョンをアップデートするステップを含み、
前記第3の値は、前記カウンタの前記ローカルバージョンがアップデートされる前に、前記装置によって増加させられる、請求項25に記載の方法。
【請求項３５】
ワイヤレス通信のための装置であって、
カウンタの第1の部分を含むタイムスタンプを生成するための手段と、
第1のフィールドと前記第1のフィールドとは異なる第2のフィールドとを含むフレームを生成するための手段であって、前記第1のフィールドが、前記タイムスタンプを含む、前記第2のフィールドが、前記カウンタの前記第1の部分に関連する1つまたは複数のビットを含み、前記第2のフィールドが、前記フレーム内に担持されたショートビーコン適合性要素を含み、前記ショートビーコン適合性要素が、タイミング同期機能(TSF)完了フィールドを含む、手段と、
送信するための前記フレームを受信側デバイスに出力するための手段と
を含む、装置。
【請求項３６】
前記フレームが、ショートビーコンフレーム、S1Gビーコンフレーム、ビーコンフレーム、またはショートプローブ応答フレームを含む、請求項35に記載の装置。
【請求項３７】
前記カウンタが、TSFカウンタを含む、請求項35に記載の装置。
【請求項３８】
前記カウンタの前記第1の部分が、前記カウンタの最下位部分を含み、
前記1つまたは複数のビットが、
前記カウンタの前記最下位部分に関連する1つまたは複数の最上位ビット
を含む、
請求項35に記載の装置。
【請求項３９】
前記フレーム内に担持された前記ショートビーコン適合性要素が、前記カウンタの最上位部分を担持する、請求項35に記載の装置。
【請求項４０】
前記TSF完了フィールドが、前記カウンタの最上位部分を担持する、
請求項35に記載の装置。
【請求項４１】
前記第2のフィールドが、前記ショートビーコン適合性要素に含まれるTSFロールオーバフラグを含む、
請求項35に記載の装置。
【請求項４２】
ワイヤレス通信のための装置であって、
ワイヤレスノードからフレームを取得するための手段と、
前記フレームから、第1のフィールドと、第2のフィールドとを取得するための手段であって、前記第1のフィールドが、カウンタの第1の部分の第1の値を有するタイムスタンプを含み、前記第2のフィールドが、前記カウンタの前記第1の部分の第2の値を有する1つまたは複数のビットを含む、手段と、
前記カウンタの前記第1の部分の前記第1の値を前記カウンタの前記第1の部分の前記第2の値と比較するための手段と、
前記比較に基づいて、前記タイムスタンプが取得されたとき以降に前記カウンタの前記第1の部分の前記第1の値が変化したかどうかを決定するための手段と、
前記装置と前記ワイヤレスノードとの間のタイミングを同期するための手段と
を含む、装置。
【請求項４３】
前記カウンタの前記第1の部分が、タイミング同期機能(TSF)カウンタの最下位部分を含み、
前記1つまたは複数のビットが、前記TSFカウンタの前記最下位部分に関連する1つまたは複数の最上位ビットを含む、
請求項42に記載の装置。
【請求項４４】
処理遅延を表すように前記第1の値を調整するための手段をさらに含む、請求項42に記載の装置。
【請求項４５】
前記第2のフィールドが、タイミング同期機能(TSF)ロールオーバフラグを含み、前記TSFロールオーバフラグが、前記1つまたは複数のビットを含む、請求項42に記載の装置。
【請求項４６】
前記決定するための手段は、前記第1の値が前記第2の値と異なる場合、前記タイムスタンプが取得されたとき以降に前記カウンタの前記第1の部分の前記第1の値が変化したと決定する、請求項42に記載の装置。
【請求項４７】
前記第2のフィールドが、前記カウンタの最上位部分の第3の値をさらに有し、
前記装置と前記ワイヤレスノードとの間の前記タイミングを同期するための手段が、
前記第3の値を増加させるための手段と、
前記増加させた第3の値に等しい前記カウンタのローカルバージョンの最上位部分の1つまたは複数のビットの値を設定するための手段と
を含む、請求項46に記載の装置。
【請求項４８】
前記第2の値が前記第1の値と同じである場合、前記決定するための手段は、前記タイムスタンプが取得されたとき以降に前記カウンタの前記第1の部分の前記第1の値が変化しなかったと決定する、請求項42に記載の装置。
【請求項４９】
前記第2のフィールドが、前記カウンタの最上位部分の第3の値をさらに有し、
前記装置と前記ワイヤレスノードとの間の前記タイミングを同期するための手段が、前記第3の値に等しい前記カウンタのローカルバージョンの最上位部分の1つまたは複数のビットの値を設定するための手段を含む、請求項48に記載の装置。
【請求項５０】
前記装置と前記ワイヤレスノードとの間の前記タイミングを同期するための手段は、前記タイムスタンプが取得されたとき以降に前記カウンタの前記第1の部分の前記第1の値が変化しなかったと決定する場合、前記カウンタの最上位部分の第3の値に基づいて前記カウンタのローカルバージョンをアップデートするための手段を含む、請求項42に記載の装置。
【請求項５１】
前記装置と前記ワイヤレスノードとの間の前記タイミングを同期するための手段は、前記タイムスタンプが取得されたとき以降に前記カウンタの前記第1の部分の前記第1の値が変化したと決定する場合、前記カウンタの最上位部分の第3の値に基づいて前記カウンタのローカルバージョンをアップデートするための手段を含み、
前記第3の値は、前記カウンタの前記ローカルバージョンがアップデートされる前に、前記装置によって増加させられる、請求項42に記載の装置。
【請求項５２】
カウンタの第1の部分を含むタイムスタンプを生成し、
第1のフィールドと前記第1のフィールドとは異なる第2のフィールドとを含むフレームを生成ことであって、前記第1のフィールドが、前記タイムスタンプを含む、前記第2のフィールドが、前記カウンタの前記第1の部分に関連する1つまたは複数のビットを含み、前記第2のフィールドが、前記フレーム内に担持されたショートビーコン適合性要素を含み、前記ショートビーコン適合性要素が、タイミング同期機能(TSF)完了フィールドを含む、生成することをし、
送信するための前記フレームを受信側デバイスに出力する
ための命令を記憶した、コンピュータ可読記憶媒体。
【請求項５３】
ワイヤレスノードからフレームを取得し、
前記フレームから、第1のフィールドと、第2のフィールドとを取得することであって、前記第1のフィールドが、カウンタの第1の部分の第1の値を有するタイムスタンプを含み、前記第2のフィールドが、前記カウンタの前記第1の部分の第2の値を有する1つまたは複数のビットを含む、取得することをし、
前記カウンタの前記第1の部分の前記第1の値を前記カウンタの前記第1の部分の前記第2の値と比較し、
前記タイムスタンプおよび前記1つまたは複数のビットに基づいて、前記タイムスタンプが取得されたとき以降に前記カウンタの前記第1の部分の前記第1の値が変化したかどうかを決定し、
前記フレームを受信するための装置と前記ワイヤレスノードとの間のタイミングを同期する
ための命令を記憶した、コンピュータ可読記憶媒体。
【請求項５４】
カウンタの第1の部分を含むタイムスタンプを生成し、第1のフィールドと前記第1のフィールドとは異なる第2のフィールドとを含むフレームを生成するように構成された処理システムであって、前記第1のフィールドが、前記タイムスタンプを含む、前記第2のフィールドが、前記カウンタの前記第1の部分に関連する1つまたは複数のビットを含み、前記第2のフィールドが、前記フレーム内に担持されたショートビーコン適合性要素を含み、前記ショートビーコン適合性要素が、タイミング同期機能(TSF)完了フィールドを含む、処理システムと、
前記フレームを受信側デバイスに送信するように構成された送信機と
を含む、アクセスポイント(AP)。
【請求項５５】
局であって、
ワイヤレスノードからフレームを取得するように構成された受信機と、
処理システムであって、
前記フレームから、第1のフィールドと第2のフィールドとを取得することであって、前記第1のフィールドが、カウンタの第1の部分の第1の値を有するタイムスタンプを含み、前記第2のフィールドが、前記カウンタの前記第1の部分の第2の値を有する1つまたは複数のビットを含む、取得することをし、
前記カウンタの前記第1の部分の前記第1の値を前記カウンタの前記第1の部分の前記第2の値と比較することと、
前記タイムスタンプおよび前記1つまたは複数のビットに基づいて、前記タイムスタンプが取得されたとき以降に前記カウンタの前記第1の部分の前記第1の値が変化したかどうかを決定し、
前記局と前記ワイヤレスノードとの間のタイミングを同期することと
するように構成された処理システムと
を含む、局。